(57)【要約】      （修正有）【課題】毛髪に滑らかさ及びしっとり感の両方を高水準で付与でき、かつ、繰り返し使用されても美容施術における阻害の発生が十分に抑制される毛髪化粧料用オルガノ変性シリコーンを提供する。【解決手段】下記一般式（１）で表されることを特徴とするオルガノ変性シリコーン。2015040250.tif 000043｛Ｒ１は炭素数２〜１２のアルキル基、Ｒ２は炭素数１３〜２２のアルキル基を表し、Ｘは下記一般式（２）、Ｙは下記一般式（３）を表す。−Ｒ３−ＮＨ−（Ｒ３−ＮＨ）ｆ−Ｈ（２）、−Ｒ４−ＮＨ−（Ｒ４−ＮＨ）ｇ−Ｒ5（３）｝【選択図】なし【特許請求の範囲】
【請求項１】
下記一般式（１）：
【化１】
2015040250.tif 000039
｛式（１）中、各構造部分はブロックでもランダムでもよく、Ｒ１は分岐を有していてもよい炭素数２〜１２のアルキル基、Ｒ２は分岐を有していてもよい炭素数１３〜２２のアルキル基を表し、Ｘは下記一般式（２）：
−Ｒ３−ＮＨ−（Ｒ３−ＮＨ）ｆ−Ｈ        （２）
〔式（２）中、Ｒ３はそれぞれ独立に炭素数１〜５のアルキレン基を表し、ｆは０又は１を表す。〕
で表される基を表し、Ｙは下記一般式（３）：
−Ｒ４−ＮＨ−（Ｒ４−ＮＨ）ｇ−Ｒ5        （３）
〔式（３）中、Ｒ４はそれぞれ独立に炭素数１〜５のアルキレン基、Ｒ５は分岐を有していてもよい炭素数１〜５のアルキル基、分岐を有していてもよい炭素数１〜５のアルコキシ基、分岐を有していてもよい炭素数１〜５のヒドロキシアルキル基又は−ＣＯ−（ＣＨ２）ｈ−Ｒ６（Ｒ６は水素原子又はカルボキシ基）で表される基を表し、ｇは０又は１、ｈは１〜３の整数を表す。〕
で表される基を表し、ａは１〜１００、ｂは０〜５０、ｃは３，０００〜２００，０００、ｄは１〜５０、ｅは０〜２０の整数を表し、（ａ＋ｂ）＝２〜１００、（ｄ＋ｅ）＝１〜５０、（ｂ＋ｅ）＝１以上の関係を満たす。｝
で表されることを特徴とするオルガノ変性シリコーン。
【請求項２】
前記一般式（１）中、ａは１０〜６９、ｂは１〜３０、ｃは４，０００〜１５０，０００、ｄは２〜３９、ｅは１〜１５の整数を表し、（ａ＋ｂ）＝１１〜７０、（ｄ＋ｅ）＝３〜４０の関係を満たすものであることを特徴とする請求項１に記載のオルガノ変性シリコーン。
【請求項３】
前記一般式（１）中、Ｒ１は分岐を有していてもよい炭素数２〜１０のアルキル基、Ｒ２は分岐を有していてもよい炭素数１４〜２２のアルキル基を表すものであることを特徴とする請求項１又は２に記載のオルガノ変性シリコーン。
【請求項４】
請求項１〜３のうちのいずれか一項に記載のオルガノ変性シリコーンの製造方法であって、
下記一般式（４）：
【化２】
2015040250.tif 000040
｛式（４）中、各構造部分はブロックでもランダムでもよく、Ｒ１、Ｒ２、ａ、ｂはそれぞれ前記一般式（１）におけるＲ１、Ｒ２、ａ、ｂと同義であり、ｍは０又は正の整数であり、（ｍ＋ｎ）＝ｃ（ｎは下記一般式（７）におけるｎと同義であり、ｃは前記一般式（１）におけるｃと同義である。）の関係を満たす。｝
で表されるアルキル変性シリコーンと、下記一般式（５）：
【化３】
2015040250.tif 000041
｛式（５）中、Ｒは水素原子又は炭素数１〜８のアルキル基を表し、Ｘは前記一般式（１）におけるＸと同義である。｝
で表されるアミノ基含有ケイ素化合物又は下記一般式（６）：
ＨＯ−（ＣＨ３ＳｉＸ）ｄ＋ｅ−ＯＨ        （６）
（式（６）中、Ｘ、ｄ、ｅはそれぞれ前記一般式（１）におけるＸ、ｄ、ｅと同義である。）
で表されるアミノ基含有ケイ素化合物と、下記一般式（７）：
【化４】
2015040250.tif 000042
（式（７）中、ｎは３〜８の整数を表す。）
で表される環状ジメチルシリコーンとを、得られるオルガノ変性シリコーンが前記一般式（１）におけるａ、ｂ、ｃ、ｄ、ｅの条件を満たすように反応容器に仕込み、触媒の存在下で平衡化反応させることにより前記オルガノ変性シリコーンを得ることを特徴とするオルガノ変性シリコーンの製造方法。
【請求項５】
前記平衡化反応により得られたオルガノ変性シリコーンに、前記一般式（１）におけるａ、ｂ、ｃ、ｄ、ｅの条件を満たすように、酸成分又はアルコールを脱水縮合反応させる工程、或いは、クロロアルカン又はクロロアルコールを脱塩酸反応させる工程、をさらに含むことを特徴とする請求項４に記載のオルガノ変性シリコーンの製造方法。
【請求項６】
請求項１〜３のうちのいずれか一項に記載のオルガノ変性シリコーンを含有することを特徴とする毛髪化粧料。
【発明の詳細な説明】
【技術分野】
【０００１】
本発明は、オルガノ変性シリコーン、その製造方法及びそれを含有する毛髪化粧料に関する。
【背景技術】
【０００２】
従来から、毛髪に滑らかさやしっとり感等を付与するために、シリコーンオイルやエステル油、炭化水素油等の油分やカチオン性界面活性剤等が毛髪化粧料に配合されている。
【０００３】
特にシリコーンオイルは、表面張力が低いことから毛髪に均一に広がり易い。そのため、滑らかさやしっとり感を付与したり、シャンプー等の毛髪洗浄剤に配合された際には洗浄時の指通りの滑らかさを付与したりすることに優れており、毛髪化粧料に多用されている。
【０００４】
このようなシリコーンオイルとしては、重合度が１，０００〜２，０００であるジメチルシリコーンを用いることが一般的であるが、他のシリコーンオイルも提案されている。例えば、特開平５−８５９１８号公報（特許文献１）には、重合度が３，０００〜２０，０００であるアミノ変性シリコーン又はアンモニウム変性高分子シリコーンを配合した毛髪用組成物が記載されており、特開２００５−１３２７６４号公報（特許文献２）にはアルキル／アラルキル／アリール変性シリコーン・アミノ変性シリコーン共重合体を含有する毛髪化粧料組成物が記載されている。
【０００５】
しかしながら、このような従来のシリコーンオイルは、シャンプー等での洗浄では除去され難いため必要以上に毛髪に残留してしまい、繰り返し使用されることで毛髪へ多量に蓄積されていき、シリコーン皮膜を形成し易いという問題があった。このシリコーン皮膜は、ヘアカラー剤やパーマネントウェーブ剤が毛髪へ浸透することを阻害するため、ヘアカラーが均一に染まらない、パーマネントウェーブが部分的に施術されないといった問題を引き起こすという問題があった。
【先行技術文献】
【特許文献】
【０００６】
【特許文献１】特開平５−８５９１８号公報
【特許文献２】特開２００５−１３２７６４号公報
【発明の概要】
【発明が解決しようとする課題】
【０００７】
本発明は、上記従来技術の有する課題に鑑みてなされたものであり、毛髪に滑らかさ及びしっとり感の両方を高水準で付与でき、かつ、繰り返し使用されてもヘアカラーやパーマネントウェーブ等の美容施術における阻害の発生が十分に抑制される毛髪化粧料を提供することが可能なオルガノ変性シリコーン、並びに、その製造方法及びそれを含有する毛髪化粧料を提供することを目的とする。
【課題を解決するための手段】
【０００８】
本発明者らは、上記目的を達成するため鋭意研究を重ねた結果、特定構造を有する新規なオルガノ変性シリコーンが、優れた滑らかさ及びしっとり感を毛髪に付与することができ、かつ、繰り返し使用されても美容施術を妨げる程蓄積しない適度な吸着性を有することを見出し、その知見に基づいて本発明を完成するに至った。
【０００９】
すなわち、本発明のオルガノ変性シリコーンは、下記一般式（１）：
【００１０】
【化１】
2015040250.tif 000002
【００１１】
｛式（１）中、各構造部分はブロックでもランダムでもよく、Ｒ１は分岐を有していてもよい炭素数２〜１２のアルキル基、Ｒ２は分岐を有していてもよい炭素数１３〜２２のアルキル基を表し、Ｘは下記一般式（２）：
−Ｒ３−ＮＨ−（Ｒ３−ＮＨ）ｆ−Ｈ      （２）
〔式（２）中、Ｒ３はそれぞれ独立に炭素数１〜５のアルキレン基を表し、ｆは０又は１を表す。〕
で表される基を表し、Ｙは下記一般式（３）：
−Ｒ４−ＮＨ−（Ｒ４−ＮＨ）ｇ−Ｒ5      （３）
〔式（３）中、Ｒ４はそれぞれ独立に炭素数１〜５のアルキレン基、Ｒ５は分岐を有していてもよい炭素数１〜５のアルキル基、分岐を有していてもよい炭素数１〜５のアルコキシ基、分岐を有していてもよい炭素数１〜５のヒドロキシアルキル基又は−ＣＯ−（ＣＨ２）ｈ−Ｒ６（Ｒ６は水素原子又はカルボキシ基）で表される基を表し、ｇは０又は１、ｈは１〜３の整数を表す。〕
で表される基を表し、ａは１〜１００、ｂは０〜５０、ｃは３，０００〜２００，０００、ｄは１〜５０、ｅは０〜２０の整数を表し、（ａ＋ｂ）＝２〜１００、（ｄ＋ｅ）＝１〜５０、（ｂ＋ｅ）＝１以上の関係を満たす。｝
で表されることを特徴とするものである。
【００１２】
本発明のオルガノ変性シリコーンにおいては、前記一般式（１）中、ａは１０〜６９、ｂは１〜３０、ｃは４，０００〜１５０，０００、ｄは２〜３９、ｅは１〜１５の整数を表し、（ａ＋ｂ）＝１１〜７０、（ｄ＋ｅ）＝３〜４０の関係を満たすものであることが好ましい。
【００１３】
さらに、本発明のオルガノ変性シリコーンにおいては、前記一般式（１）中、Ｒ１は分岐を有していてもよい炭素数２〜１０のアルキル基、Ｒ２は分岐を有していてもよい炭素数１４〜２２のアルキル基を表すものであることが好ましい。
【００１４】
また、本発明のオルガノ変性シリコーンの製造方法は、前記本発明のオルガノ変性シリコーンを製造する方法であって、
下記一般式（４）：
【００１５】
【化２】
2015040250.tif 000003
【００１６】
｛式（４）中、各構造部分はブロックでもランダムでもよく、Ｒ１、Ｒ２、ａ、ｂはそれぞれ前記一般式（１）におけるＲ１、Ｒ２、ａ、ｂと同義であり、ｍは０又は正の整数であり、（ｍ＋ｎ）＝ｃ（ｎは下記一般式（７）におけるｎと同義であり、ｃは前記一般式（１）におけるｃと同義である。）の関係を満たす。｝
で表されるアルキル変性シリコーンと、下記一般式（５）：
【００１７】
【化３】
2015040250.tif 000004
【００１８】
｛式（５）中、Ｒは水素原子又は炭素数１〜８のアルキル基を表し、Ｘは前記一般式（１）におけるＸと同義である。｝
で表されるアミノ基含有ケイ素化合物又は下記一般式（６）：
ＨＯ−（ＣＨ３ＳｉＸ）ｄ＋ｅ−ＯＨ        （６）
（式（６）中、Ｘ、ｄ、ｅはそれぞれ前記一般式（１）におけるＸ、ｄ、ｅと同義である。）
で表されるアミノ基含有ケイ素化合物と、下記一般式（７）：
【００１９】
【化４】
2015040250.tif 000005
【００２０】
（式（７）中、ｎは３〜８の整数を表す。）
で表される環状ジメチルシリコーンとを、得られるオルガノ変性シリコーンが前記一般式（１）におけるａ、ｂ、ｃ、ｄ、ｅの条件を満たすように反応容器に仕込み、触媒の存在下で平衡化反応させることにより前記オルガノ変性シリコーンを得ることを特徴とする方法である。
【００２１】
本発明のオルガノ変性シリコーンの製造方法においては、前記平衡化反応により得られたオルガノ変性シリコーンに、前記一般式（１）におけるａ、ｂ、ｃ、ｄ、ｅの条件を満たすように、酸成分又はアルコールを脱水縮合反応させる工程、或いは、クロロアルカン又はクロロアルコールを脱塩酸反応させる工程、をさらに含むことが好ましい。
【００２２】
また、本発明の毛髪化粧料は、前記一般式（１）で表される本発明のオルガノ変性シリコーンを含有することを特徴とするものである。
【発明の効果】
【００２３】
本発明によれば、毛髪に滑らかさ及びしっとり感の両方を高水準で付与でき、かつ、繰り返し使用されてもヘアカラーやパーマネントウェーブ等の美容施術における阻害の発生が十分に抑制される毛髪化粧料を提供することが可能なオルガノ変性シリコーン、並びに、その製造方法を提供することが可能となる。
【００２４】
そのため、前記本発明のオルガノ変性シリコーンを含有する本発明の毛髪化粧料によれば、毛髪に滑らかさとしっとり感の両方を高水準で付与することが可能となる。さらに、本発明の毛髪化粧料はシャンプー等で除去され易く、繰り返し使用しても毛髪に蓄積され難いため、本発明の毛髪化粧料によれば、ヘアカラーが均一に染まらない、パーマネントウェーブが一部かからないといった美容施術の問題の発生を十分に防ぐことが可能となる。
【発明を実施するための形態】
【００２５】
以下、本発明をその好適な実施形態に即して詳細に説明する。
【００２６】
本発明のオルガノ変性シリコーンは、下記一般式(１)で表されるものである。
【００２７】
【化５】
2015040250.tif 000006
【００２８】
式（１）中、各構造部分はブロックでもランダムでもよく、Ｒ１は分岐を有していてもよい炭素数２〜１２のアルキル基を表す。Ｒ１の炭素数が１２を超えてＲ１、Ｒ２のいずれもが長鎖アルキル基になると滑らかさ及びしっとり感の付与が不十分となる。
【００２９】
Ｒ１の具体例としては、エチル基、プロピル基、ブチル基、ペンチル基、ヘキシル基、ヘプチル基、オクチル基、ノニル基、デシル基、イソデシル基、ラウリル基、もしくはその分岐鎖が挙げられる。より優れた滑らかさ及びしっとり感を付与できるという観点から、Ｒ１としては、炭素数２〜１０のアルキル基が好ましく、エチル基、プロピル基、ブチル基、ペンチル基、ヘキシル基、ヘプチル基、オクチル基が特に好ましい。
【００３０】
式（１）中、Ｒ２は分岐を有していてもよい炭素数１３〜２２のアルキル基を表す。Ｒ２の炭素数が１３未満でＲ１、Ｒ２のいずれもが短鎖アルキル基になると吸着性が過剰となり、一方、Ｒ２の炭素数が２２を超えると滑らかさ及びしっとり感の付与が不十分となる。
【００３１】
Ｒ２の具体例としては、ミリスチル基、セチル基、ステアリル基、オレイル基、ベヘニル基、もしくはその分岐鎖が挙げられる。吸着性がより適度となるという観点から、Ｒ２としては、炭素数１４〜２２のアルキル基が好ましく、ミリスチル基、セチル基、ステアリル基、オレイル基、ベヘニル基が特に好ましい。
【００３２】
上記オルガノ変性シリコーンがＲ１及びＲ２を含む構造部分を有することにより、その吸着性を適度とすることができ、繰り返し使用されても美容施術を妨げる程の蓄積を抑えることができる。
【００３３】
式（１）中、Ｘは下記一般式（２）：
−Ｒ３−ＮＨ−（Ｒ３−ＮＨ）ｆ−Ｈ        （２）
で表される基を表す。
【００３４】
式（２）中、Ｒ３はそれぞれ独立に炭素数１〜５のアルキレン基を表し、例えば、エチレン基、プロピレン基、トリメチレン基、ブチレン基、テトラメチレン基が挙げられる。また、ｆは０又は１を表す。
【００３５】
より優れた滑らかさ及びしっとり感を付与できるという観点から、Ｘとしては、
−（ＣＨ２）３−ＮＨ２
−（ＣＨ２）３−ＮＨ−（ＣＨ２）２−ＮＨ２
が好ましく、−（ＣＨ２）３−ＮＨ２がより好ましい。
【００３６】
式（１）中、Ｙは下記一般式（３）：
−Ｒ４−ＮＨ−（Ｒ４−ＮＨ）ｇ−Ｒ５        （３）
で表される基を表す。
【００３７】
式（３）中、Ｒ４はそれぞれ独立に炭素数１〜５のアルキレン基を表し、例えば、エチレン基、プロピレン基、トリメチレン基、ブチレン基、テトラメチレン基、ペンタメチレン基が挙げられる。
【００３８】
式（３）中、Ｒ５は、分岐を有していてもよい炭素数１〜５のアルキル基、分岐を有していてもよい炭素数１〜５のアルコキシ基、分岐を有していてもよい炭素数１〜５のヒドロキシアルキル基、又は−ＣＯ−（ＣＨ２）ｈ−Ｒ６で表される基を表し、Ｒ６は水素原子又はカルボキシ基を表す。また、ｇは０又は１、ｈは１〜３の整数を表す。
【００３９】
炭素数１〜５のアルキル基としては、メチル基、エチル基、プロピル基、ブチル基、ペンチル基、もしくはその分岐鎖が挙げられ、炭素数１〜５のアルコキシ基としては、エトキシ基、プロポキシ基、ブトキシ基が挙げられ、炭素数１〜５のヒドロキシアルキル基としては、ヒドロキシメチル基、ヒドロキシエチル基、ヒドロキシプロピル基、ヒドロキシブチル基、ヒドロキシペンチル基、もしくはその分岐鎖が挙げられる。
【００４０】
より優れた滑らかさ及びしっとり感を付与できるという観点から、Ｙとしては、
−（ＣＨ２）３−ＮＨ−ＣＯ−ＣＨ３
−（ＣＨ２）３−ＮＨ−ＣＯ−（ＣＨ２）２−ＣＯＯＨ
−（ＣＨ２）３−ＮＨ−（ＣＨ２）２−ＮＨ−ＣＨ２ＣＨ３
−（ＣＨ２）３−ＮＨ−（ＣＨ２）２−ＮＨ−ＣＯ−ＣＨ３
−（ＣＨ２）３−ＮＨ−（ＣＨ２）２−ＮＨ−ＣＯ−（ＣＨ２）２−ＣＯＯＨ
が好ましく、−（ＣＨ２）３−ＮＨ−ＣＯ−ＣＨ３がより好ましい。
【００４１】
上記オルガノ変性シリコーンが、−（ＣＨ３）２ＳｉＯ−部分とＸ及びＹを含む構造部分とを有することにより、優れた滑らかさ及びしっとり感を発現することができる。
【００４２】
式（１）中、ａは１〜１００、ｂは０〜５０の整数を表し、（ａ＋ｂ）＝２〜１００である関係を満たす。（ａ＋ｂ）が２未満であると吸着性が過剰となり、一方、（ａ＋ｂ）が１００を超えると滑らかさ及びしっとり感の付与が不十分となる。また、ｂが５０を超えると、滑らかさ及びしっとり感の付与が不十分となる。
【００４３】
一般式（１）で表されるオルガノ変性シリコーンにおいて、（ａ＋ｂ）は１１〜７０であり、ｂは１〜３０であり、ａは１０〜６９であることが好ましく、さらに、（ａ＋ｂ）は１５〜７０であり、ｂは１〜３０であり、ａは１４〜６９であることがより好ましい。（ａ＋ｂ）が１１以上であると吸着性がより適度となり、１５以上であると吸着性がさらに適度となる傾向にあり、一方、７０以下であるとより優れた滑らかさ及びしっとり感を付与できる傾向にある。また、ｂが１以上であると吸着性がより適度となる傾向にあり、一方、３０以下であるとより優れた滑らかさ及びしっとり感を付与できる傾向にある。
【００４４】
式（１）中、ｃは３，０００〜２００，０００の整数を表し、吸着性がより適度となり、より優れた滑らかさ及びしっとり感を付与できるという観点から、４，０００〜１５０，０００が好ましい。ｃが３，０００未満であると滑らかさ及びしっとり感の付与が不十分となり、一方、ｃが２００，０００を超えると粘度が高くなり過ぎて吸着性が過剰となる。
【００４５】
式（１）中、ｄは１〜５０、ｅは０〜２０の整数を表し、（ｄ＋ｅ）＝１〜５０の関係及び（ｂ＋ｅ）＝１以上の関係を満たす。（ｄ＋ｅ）が０であると滑らかさ及びしっとり感の付与が不十分となり、一方、（ｄ＋ｅ）が５０を超えると吸着性が過剰となる。また、ｅが２０を超えると、滑らかさ及びしっとり感の付与が不十分となる。さらに、ｂが０でありかつｅが０である場合、吸着性が過剰となり、さらに滑らかさ及びしっとり感の付与が不十分となる。
【００４６】
一般式（１）で表されるオルガノ変性シリコーンにおいて、（ｄ＋ｅ）は３〜４０であり、ｅは１〜１５であり、ｄは２〜３９であることが好ましい。（ｄ＋ｅ）が３以上であるとより優れた滑らかさ及びしっとり感を付与できる傾向にあり、一方、４０以下であると吸着性がより適度となる傾向にある。また、ｅが１〜１５であるとより優れた滑らかさ及びしっとり感を付与できる傾向にある。
【００４７】
次に、本発明のオルガノ変性シリコーンの製造方法について説明する。
【００４８】
本発明のオルガノ変性シリコーンの製造方法においては、下記一般式（４）：
【００４９】
【化６】
2015040250.tif 000007
【００５０】
｛式（４）中、各構造部分はブロックでもランダムでもよく、Ｒ１、Ｒ２、ａ、ｂはそれぞれ前記一般式（１）におけるＲ１、Ｒ２、ａ、ｂと同義であり、ｍは０又は正の整数であり、（ｍ＋ｎ）＝ｃ（ｎは下記一般式（７）におけるｎと同義であり、ｃは前記一般式（１）におけるｃと同義である。）の関係を満たす。｝
で表されるアルキル変性シリコーン（Ａ）と、下記一般式（５）：
【００５１】
【化７】
2015040250.tif 000008
【００５２】
｛式（５）中、Ｒは水素原子又は炭素数１〜８のアルキル基を表し、Ｘは前記一般式（１）におけるＸと同義である。｝
で表されるアミノ基含有ケイ素化合物（Ｂ−１）又は下記一般式（６）：
ＨＯ−（ＣＨ３ＳｉＸ）ｄ＋ｅ−ＯＨ        （６）
（式（６）中、Ｘ、ｄ、ｅはそれぞれ前記一般式（１）におけるＸ、ｄ、ｅと同義である。）
で表されるアミノ基含有ケイ素化合物（Ｂ−２）と、下記一般式（７）：
【００５３】
【化８】
2015040250.tif 000009
【００５４】
（式（７）中、ｎは３〜８の整数を表す。）
で表される環状ジメチルシリコーン（Ｃ）とを、得られるオルガノ変性シリコーンが前記一般式（１）におけるａ、ｂ、ｃ、ｄ、ｅの条件を満たすように反応容器に仕込み、触媒の存在下で平衡化反応させることにより前記オルガノ変性シリコーンを得ることができる。
【００５５】
前記一般式（４）で表されるアルキル変性シリコーン（Ａ）を得る方法は特に限定されないが、例えば以下の方法により製造することができる。すなわち、（Ａ−１）シリコーンと、（Ａ−２）α−オレフィンとを、ヒドロシリル化反応させて前記アルキル変性シリコーンを得ることができる。このような（Ａ−２）成分により前記一般式（１）におけるＲ１及びＲ２が導入される。また、前記（Ａ−１）成分としては、重合度が２〜１００であるシリコーンが好適に挙げられ、重合度が１０〜７０であるものがより好ましく、１５〜７０であるものがさらに好ましい。
【００５６】
このような（Ａ−１）シリコーンとしては、下記一般式（８）で表されるものが好ましいものとして挙げられる。
【００５７】
【化９】
2015040250.tif 000010
【００５８】
式（８）中、各構造部分はブロックでもランダムでもよく、ａ及びｂはそれぞれ前記一般式（１）におけるａ及びｂと同義であり、ｍは０または正の整数であり、前記ｎとの和である（ｍ＋ｎ）がｃである関係を満たし、ｃは前記一般式（１）におけるｃと同義である。
【００５９】
また、（Ａ−２）α−オレフィンとしては、それぞれ以下のものが好ましいものとして挙げられる。すなわち、Ｒ１の由来となるα−オレフィンとしては、炭素数２〜１２のα−オレフィンであり、例えば、エチレン、プロピレン、ブテン、ペンテン、へキセン、ヘプテン、オクテン、ノネン、デセン、ウンデセン、ドデセンが挙げられる。
【００６０】
さらに、Ｒ２の由来となるα−オレフィンとしては、炭素数１３〜２２のα−オレフィンであり、例えば、トリデセン、テトラデセン、テトラデセン、ペンタデセン、ヘキサデセン、ヘプタデセン、オクタデセン、ノナデセン、エイコセン、ドコセンが挙げられる。
【００６１】
前記ヒドロシリル化反応は、不活性ガス雰囲気下で行うことが好ましく、触媒存在下で行うことが好ましい。前記不活性ガスとしては、例えば、窒素、アルゴンが挙げられ、前記触媒としては、例えば、白金、パラジウムの化合物が挙げられ、白金化合物が有効である。白金化合物としては、例えば、塩化白金（IV）が挙げられる。前記触媒は必要に応じて、炭素数１〜６の低級アルコール（例えば、エタノール、プロパノール）等のアルコール類と芳香族化合物や炭化水素類等との混合物で希釈して用いてもよく、その場合、得られるアルキル変性シリコーンに前記アルコール類に由来するアルコキシ基が導入されていてもよい。ヒドロシリル化反応の反応温度と温度に特に制限はなく、例えば、反応温度としては１０〜２００℃、好ましくは５０〜１５０℃が挙げられ、反応時間としては、反応温度が５０〜１５０℃の時、６〜１２時間が挙げられる。
【００６２】
本発明のオルガノ変性シリコーンの製造方法においては、次に、前記アルキル変性シリコーン（Ａ）と、前記アミノ基含有ケイ素化合物（Ｂ−１又はＢ−２）と、前記環状ジメチルシリコーン（Ｃ）とを、得られるオルガノ変性シリコーンが前記一般式（１）におけるａ、ｂ、ｃ、ｄ、ｅの条件を満たすように反応容器に仕込み、触媒の存在下で平衡化反応させることにより前記オルガノ変性シリコーンを得ることができる。このような（Ｂ−１又はＢ−２）成分により前記一般式（１）におけるＸが導入される。
【００６３】
このような（Ｂ−１又はＢ−２）アミノ基含有ケイ素化合物としては、それぞれ以下のものが好ましいものとして挙げられる。
【００６４】
すなわち、（Ｂ−１）アミノ基含有ケイ素化合物としては、例えば、３−アミノプロピルメチルジヒドロキシシラン、３−［（２−アミノエチル）アミノ］プロピルメチルジヒドロキシシラン、３−アミノプロピルメチルジメトキシシラン、３−［（２−アミノエチル）アミノ］プロピルメチルジメトキシシラン、３−アミノプロピルメチルジエトキシシラン、３−［（２−アミノエチル）アミノ］プロピルメチルジエトキシシラン、３−アミノプロピルメチルジプロポキシシラン、３−［（２−アミノエチル）アミノ］プロピルメチルジプロポキシシランが挙げられる。
【００６５】
また、（Ｂ−２）アミノ基含有ケイ素化合物としては、重合度が１〜５０であるシロキサン結合を主鎖とする重合体が好適に挙げられ、重合度が３〜４０であるものがより好ましい。
【００６６】
また、（Ｃ）環状ジメチルシリコーンとしては、例えば、ヘキサメチルシクロトリシロキサン、オクタメチルシクロテトラシロキサン、デカメチルシクロペンタシロキサンが好ましいものとして挙げられる。
【００６７】
前記平衡化反応は、不活性ガス雰囲気下で行うことが好ましく、触媒存在下で行うことが好ましい。前記不活性ガスとしては、前述のものが例示され、前記触媒としては、例えば、水酸化ナトリウム、水酸化カリウム等のアルカリ触媒、水酸化テトラメチルアンモニウム等の第４級アンモニウム触媒が挙げられる。これらの触媒は必要に応じて炭素数１〜６の低級アルコール（例えば、エタノール、プロパノール）等のアルコール類で希釈して用いてもよく、その場合、得られるオルガノ変性シリコーンに前記アルコール類に由来するアルコキシ基が導入されていてもよい。平衡化反応温度は、反応が進行する温度であれば特に限定されるものではないが、通常５０〜２００℃の範囲で行われる。
【００６８】
本発明のオルガノ変性シリコーンの製造方法においては、前記平衡化反応の後に、前記平衡化反応により得られたオルガノ変性シリコーンに、前記一般式（１）におけるａ、ｂ、ｃ、ｄ、ｅの条件を満たすように、酸成分（Ｄ−１）又はアルコール（Ｄ−２）を脱水縮合反応させる工程、或いは、クロロアルカン（Ｄ−３）又はクロロアルコール（Ｄ−４）を脱塩酸反応させる工程、をさらに含むことが好ましい。このような（Ｄ−１、Ｄ−２、Ｄ−３又はＤ−４）成分により前記一般式（１）におけるＹが導入される。
【００６９】
このような（Ｄ−１）酸成分としては、以下に説明するカルボン酸や酸無水物等が好ましいものとして挙げられる。すなわち、カルボン酸としては、下記一般式（９）：
ＨＯ−ＣＯ−（ＣＨ２）ｈ−Ｒ６        （９）
（式（９）中、Ｒ６、ｈはそれぞれ前記一般式（１）におけるＲ６、ｈと同義である。）
で表されるものが挙げられる。具体的には、酢酸、プロピオン酸、ブタン酸等の炭素数２〜４のモノカルボン酸、プロパン二酸等の炭素数３〜５のジカルボン酸が挙げられる。また、酸無水物としては、無水酢酸、無水マレイン酸等が挙げられる。
【００７０】
また、（Ｄ−２）アルコール成分としては、炭素数が１〜５の１価アルコールが好ましいものとして挙げられ、例えば、メタノール、エタノール、プロパノール、ブタノール、ペンタノールが挙げられる。
【００７１】
前記脱水縮合反応は不活性ガス雰囲気下で行うことが好ましく、前記不活性ガスとしては、前述のものが例示される。脱水縮合反応温度は、反応が進行する温度であれば特に限定されるものではないが、通常５０〜２００℃の範囲で行われる。
【００７２】
このような（Ｄ−３）クロロアルカンとしては、炭素数が１〜５のモノクロロアルカンが好ましいものとして挙げられ、例えば、クロロメタン、クロロエタン、クロロプロパン、クロロブタン、クロロペンタンが挙げられる。また、（Ｄ−４）クロロアルコールとしては、炭素数が１〜５のモノクロロアルコールが好ましいものとして挙げられ、例えば、クロロメタノール、クロロエタノール、クロロプロパノール、クロロブタノール、クロロペンタノールが挙げられる。
【００７３】
前記脱塩酸反応は不活性ガス雰囲気下で行うことが好ましく、前記不活性ガスとしては、前述のものが例示される。脱塩酸反応温度は、反応が進行する温度であれば特に限定されるものではないが、通常５０〜２００℃の範囲で行われる。
【００７４】
前述の本発明の上記一般式（１）で表されるオルガノ変性シリコーンは、化粧料や繊維処理剤、つや出し剤、離型剤、離型剤炭素繊維の前駆体繊維であるアクリル繊維の処理油剤等の各種の用途に使用することができる。
【００７５】
本発明の上記一般式（１）で表されるオルガノ変性シリコーンは、毛髪化粧料に使用された際に、優れた滑らかさ及びしっとり感の両方を高水準で付与でき、かつ、繰り返し用いられても美容施術の阻害の発生を十分に防ぐことができる毛髪化粧料を提供できるため、毛髪化粧料に使用することが特に好適である。
【００７６】
次に、本発明の毛髪化粧料について説明する。
【００７７】
本発明の毛髪化粧料は、上記一般式（１）で表される本発明のオルガノ変性シリコーンを含有するものである。
【００７８】
本発明の毛髪化粧料としては、例えば、シャンプー、リンス、コンディショナー、トリートメント、ワックス等のヘアスタイリング剤、アウトバストリートメント、染毛剤、パーマネントウェーブ剤、カーリング剤等が挙げられる。また、それらの形態は特に限定されず、例えば、液、泡、スプレー、ワックス、ジェル、クリーム、オイル等が挙げられる。
【００７９】
本発明の毛髪化粧料における前記本発明のオルガノ変性シリコーンの含有量としては、目的により適宜調節され得るが、例えば、シャンプー、リンス、コンディショナー、トリートメント、ヘアスタイリング剤、染毛剤、パーマネントウェーブ剤、カーリング剤においては０．０１〜２０質量％という量が挙げられ、アウトバストリートメントにおいては本発明のオルガノ変性シリコーンをそのまま用いるか、５０質量％以上という量が挙げられる。
【００８０】
本発明の毛髪化粧料には、その目的に応じて、従来から毛髪化粧料に使用されている成分が配合される。そのような成分としては、例えば、各種界面活性剤、流動パラフィン、スクワラン、ラノリン誘導体、高級アルコール、各種エステル油等の油分、エチレングリコール、プロピレングリコール、グリセリン、ソルビトールポリエチレングリコール等の水溶性油分、ヒアルロン酸やコンドロイチン酸、ピロリドンカルボン酸等の保湿剤、カルボキシビニルポリマー等の増粘剤、カチオン変性セルロースエーテル誘導体、ポリビニルピロリドン誘導体４級アンモニウム塩、ジアリルジメチルアンモニウムクロライド、ポリアミド誘導体４級アンモニウム塩、ポリオキシエチレンポリアルキレン、ポリアミン等のカチオン性高分子、紫外線吸収剤、香料、酸化染料や酸性染料、塩基性染料、ＨＣ染料等の染料、チオール系化合物等が挙げられる。
【実施例】
【００８１】
以下、実施例及び比較例を挙げて本発明を具体的に説明するが、本発明は実施例に限定されるものではない。なお、これらの例において、「部」及び「％」は、それぞれ「質量部」及び「質量％」を表わす。また、表中の空欄は、０（ゼロ）であることを示す。
【００８２】
＜Ｉ．オルガノ変性シリコーンの製造＞
（実施例１）
撹拌機、温度計、還流冷却機、窒素ガス導入管及び滴下ロートを備えた反応容器に、ＳｉＨ基当量が６２．５（ｇ／ｍｏｌ）であり、下記式で表されるシリコーン（６２．５ｇ）を入れ、窒素を気流し温度が６５℃になるまで加熱しながら撹拌した。
【００８３】
【化１０】
2015040250.tif 000011
【００８４】
続いて、ヒドロシリル化反応の触媒として、塩化白金（IV）のイソプロパノール・トルエン混合溶液を、上記シリコーンに対して白金濃度が５ｐｐｍとなるように添加した。上記シリコーンの温度が１２０℃となったところで、０．６モルの１−オクテン（６７．３ｇ）を滴下し、１２０℃で１時間、反応させた。その後、０．４モルの１−オクタデセン（１０１ｇ）を滴下し、１２０℃で３時間、反応させた。それによって、一般式（１）におけるＲ１及びＲ２を含む構造部分の由来となる下記式（i）で表されるアルキル変性シリコーン（i）を得た。
【００８５】
【化１１】
2015040250.tif 000012
【００８６】
次に、アルキル変性シリコーン（i）１．１部、−（ＣＨ３）２ＳｉＯ−部分の由来となるオクタメチルシクロテトラシロキサン９９８部、Ｘ及びＹ含む構造部分の由来となるＨ２Ｎ−（ＣＨ２）３−Ｓｉ（ＣＨ３）（ＯＨ）２で表わされるアミノ基含有ケイ素化合物０．６部を反応容器に仕込み、触媒として水酸化カリウム６．７部のエタノール溶液を使用し、窒素雰囲気下、１５０℃で約１時間、加熱還流し、平衡化反応させた。
【００８７】
次に、酸成分として無水酢酸０．１３部を反応容器に仕込み、窒素雰囲気下、１００〜１１０℃で約２時間、反応させた。その後、冷却し、取り出し、下記式で表されるオルガノ変性シリコーンを得た。
【００８８】
【化１２】
2015040250.tif 000013
【００８９】
（実施例２〜２８）
アルキル変性シリコーン、オクタメチルシクロテトラシロキサン、アミノ基含有ケイ素化合物、酸成分を表１〜３のように代えたこと以外は実施例１と同様にして、表６〜８に記載の構造のオルガノ変性シリコーンを得た。なお、表１〜３のアルキル変性シリコーン（ii）〜（viii）はそれぞれ下記式（ii）〜（viii）で表されるものである。
【００９０】
【化１３】
2015040250.tif 000014
【００９１】
【化１４】
2015040250.tif 000015
【００９２】
【化１５】
2015040250.tif 000016
【００９３】
【化１６】
2015040250.tif 000017
【００９４】
【化１７】
2015040250.tif 000018
【００９５】
【化１８】
2015040250.tif 000019
【００９６】
【化１９】
2015040250.tif 000020
【００９７】
（実施例２９）
アルキル変性シリコーン（i）１．１部、オクタメチルシクロテトラシロキサン９９８部、Ｈ２Ｎ−（ＣＨ２）３−Ｓｉ（ＣＨ３）（ＯＨ）２で表わされるアミノ基含有ケイ素化合物０．６部を反応容器に仕込み、触媒として水酸化カリウム６．７部のエタノール溶液を使用し、窒素雰囲気下、１５０℃で約１時間、加熱還流し、平衡化反応させた。
【００９８】
その後、エタノール０．０６部、触媒として濃硫酸を反応容器に仕込み、窒素雰囲気下、１３０〜１４０℃で１時間、脱水反応させた。冷却し、取り出し、表８に記載の構造のオルガノ変性シリコーンを得た。
【００９９】
（比較例１〜５）
アルキル変性シリコーン、オクタメチルシクロテトラシロキサン、アミノ基含有ケイ素化合物、酸成分を表４のように代えたこと以外は実施例１と同様にして、表９に記載の構造のオルガノ変性シリコーンを得た。なお、表４のアルキル変性シリコーン（ix）は下記式（ix）で表されるものである。
【０１００】
【化２０】
2015040250.tif 000021
【０１０１】
（比較例６）
高粘度ジメチル変性シリコーン（商品名：ＫＦ−９６Ｈ−３０万ｃｓ、信越化学工業（株）社製）を用いた。
【０１０２】
（比較例７）
アミノプロピル基が付加された高重合ジメチル変性シリコーン２０％と低粘度ジメチル変性シリコーン８０％の混合物（商品名：ＫＦ−８０２０、信越化学工業（株）社製）を用いた。
【０１０３】
【表１】
2015040250.tif 000022
【０１０４】
【表２】
2015040250.tif 000023
【０１０５】
【表３】
2015040250.tif 000024
【０１０６】
【表４】
2015040250.tif 000025
【０１０７】
＜II．トリートメントの評価＞
II−１．トリートメントの調製
下記表５の組成で実施例３０〜５８及び比較例８〜１４のトリートメントを調製し、評価した。なお、残分とは全量を１００部とする量である。
【０１０８】
【表５】
2015040250.tif 000026
【０１０９】
II−２．毛髪サンプルの作製
長さ２０ｃｍ、重さ１０ｇの同一人物（日本人女性２５歳）の毛髪を４０℃の水に浸して濡らし、上記で調製した実施例又は比較例のトリートメント２ｇを塗布し、１分間放置後、ノンシリコンシャンプー（商品名：ヘアシーズンズ  シャンプースムース、日華化学（株）社製）１ｇにて揉み洗いし、４０℃の水で６０秒間すすぎ、ドライヤーで乾燥させる、という一連の作業を３０回繰り返し、トリートメント処理毛髪サンプルを作製した。
【０１１０】
II−３．滑らかさ、しっとり感、シリコーン成分蓄積性の評価
得られた各トリートメント処理毛髪サンプルの滑らかさ、しっとり感、シリコーン成分蓄積性（Ｓｉ量測定、パーマネントウェーブ施術試験）の評価を以下の方法で行った。
【０１１１】
（１）滑らかさ及びしっとり感の評価
各トリートメント処理毛髪サンプルについて、１０人に滑らかさを触感にて評価してもらい、下記評価点基準に基いて点数を付けてもらい、その平均値を算出した。得られた平均値と下記評価基準に基いて滑らかさの評価を行った。その結果を表６〜１０に示す。
【０１１２】
また、しっとり感についても同様に評価した。その結果を表６〜１０に示す。
【０１１３】
［評価点基準］
５点  …  明らかに優れる
４点  …  やや優れる
３点  …  普通
２点  …  やや劣る
１点  …  明らか劣る。
【０１１４】
［評価基準］
◎  …  ４点以上
○  …  ３点以上４点未満
△  …  ２点以上３点未満
×  …  ２点未満。
【０１１５】
（２）シリコーン成分吸着性の評価
（２）−１．Ｓｉ量測定
蛍光Ｘ線分析装置（ＺＳＸ１００ｅ、（株）リガク社製）にて、各トリートメント処理毛髪サンプルをサンプル台にそのままの状態で固定し、Ｓｉ強度及びＳ強度を測定し、（Ｓｉ強度／Ｓ強度）をＳｉ量として算出した。Ｓｉ強度をＳ強度で割ったのは、トリートメント処理毛髪サンプル量のばらつきを無くすためである。下記評価基準に基き、Ｓｉ量を評価した。その結果を表６〜１０に示す。
【０１１６】
［評価基準］
◎  …  ０．２未満であり、Ｓｉ量が非常に少ない。
○  …  ０．２以上０．５未満であり、Ｓｉ量が少ない。
△  …  ０．５以上１．０未満であり、Ｓｉ量がやや少ない。
×  …  １．０以上であり、Ｓｉ量がある、又は多い。
【０１１７】
（２）−２．パーマネントウェーブ施術試験
各トリートメント処理毛髪サンプル１ｇを水で濡らし、ロッド径１５ｍｍのロッドに巻き、２剤系パーマネントウェーブ剤（商品名：ウェーボフィージェ  Ｔ−１００、日華化学（株）社製）の第１剤１ｇを塗布し、１５分間放置した。次に、水洗し、２剤系パーマネントウェーブ剤（商品名：ウェーボフィージェ  Ｔ−１００、日華化学（株）社製）の第２剤１ｇを塗布し、１０分間放置後、ロッドを外し、水洗し、タオルで拭いた。その後、自然乾燥にて毛髪を乾燥させ、ウェーブの山の個数を数えた。山の個数が多い程、パーマネントウェーブ施術が阻害されなかったことを示す。山の個数と下記評価基準に基き、パーマネントウェーブ施術の阻害の程度を評価した。その結果を表６〜１０に示す。
【０１１８】
［評価基準］
◎  …  ３個以上であり、施術が阻害されていない。
○  …  ２．５個以上３個未満であり、施術がほぼ阻害されていない。
△  …  ２個以上２．５個未満であり、施術が少し阻害されている。
×  …  ２個未満であり、施術が阻害されている。
【０１１９】
【表６】
2015040250.tif 000027
【０１２０】
【表７】
2015040250.tif 000028
【０１２１】
【表８】
2015040250.tif 000029
【０１２２】
【表９】
2015040250.tif 000030
【０１２３】
【表１０】
2015040250.tif 000031
【０１２４】
＜III．コンディショナーの評価＞
III−１．コンディショナーの調製
表１１の組成で実施例５９のコンディショナーを調製し、評価した。なお、残分とは全量を１００部とする量である。
【０１２５】
III−２．毛髪サンプルの作製
長さ２０ｃｍ、重さ１０ｇの同一人物（日本人女性２５歳）の毛髪を４０℃の水で濡らし、上記で調製した実施例５９のコンディショナー２ｇを塗布し、１分間放置後、ノンシリコンシャンプー（商品名：ヘアシーズンズ  シャンプースムース、日華化学（株）社製）１ｇにて揉み洗いし、４０℃の水で６０秒間すすぎ、ドライヤーにて乾燥させた。この一連の作業を３０回繰り返し、コンディショナー処理毛髪サンプルを作製した。
【０１２６】
III−３．滑らかさ、しっとり感、シリコーン成分蓄積性の評価
得られたコンディショナー処理毛髪サンプルの滑らかさ、しっとり感、シリコーン成分吸着性（Ｓｉ量測定、パーマネントウェーブ施術試験）の評価を上述の方法で行った。その結果を下記表１１に示す。
【０１２７】
【表１１】
2015040250.tif 000032
【０１２８】
＜IV．シャンプーの評価＞
IV−１．シャンプーの調製
表１２の組成で実施例６０のシャンプーを調製し、評価した。なお、残分とは全量を１００部とする量である。
【０１２９】
IV−２．毛髪サンプルの作製
長さ２０ｃｍ、重さ１０ｇの同一人物（日本人女性２５歳）の毛髪を４０℃の水で濡らし、上記で調製した実施例６０のシャンプー１ｇにて揉み洗いし、４０℃の水で６０秒間すすぎ、ドライヤーにて乾燥させた。この一連の作業を３０回繰り返し、シャンプー処理毛髪サンプルを作製した。
【０１３０】
IV−３．滑らかさ、しっとり感、シリコーン成分蓄積性の評価
得られたシャンプー処理毛髪サンプルの滑らかさ、しっとり感、シリコーン成分蓄積性（Ｓｉ量測定、パーマネントウェーブ施術試験）の評価を上述の方法で行った。その結果を下記表１２に示す。
【０１３１】
【表１２】
2015040250.tif 000033
【０１３２】
＜V．アウトバストリートメントの評価＞
V−１．アウトバストリートメントの調製
表１３の組成で実施例６１のアウトバストリートメントを調製し、評価した。なお、残分とは全量を１００部とする量である。
【０１３３】
V−２．毛髪サンプルの作製
長さ２０ｃｍ、重さ１０ｇの同一人物（日本人女性２５歳）の毛髪を４０℃の水で濡らし、上記で調製した実施例６１のアウトバストリートメント２ｇを塗布し、１分間放置後、ノンシリコンシャンプー（商品名：ヘアシーズンズ  シャンプースムース、日華化学（株）社製）１ｇにて揉み洗いし、４０℃の水で６０秒間すすぎ、ドライヤーにて乾燥させた。この一連の作業を３０回繰り返し、アウトバストリートメント処理毛髪サンプルを作製した。
【０１３４】
V−３．滑らかさ、しっとり感、シリコーン成分蓄積性の評価
得られたアウトバストリートメント処理毛髪サンプルの滑らかさ、しっとり感、シリコーン成分蓄積性（Ｓｉ量測定、パーマネントウェーブ施術試験）の評価を上述の方法で行った。その結果を下記表１３に示す。
【０１３５】
【表１３】
2015040250.tif 000034
【０１３６】
＜VI．ワックス（スタイリング剤）の評価＞
VI−１．ワックスの調製
表１４の組成で実施例６２のワックスを調製し、評価した。なお、残分とは全量を１００部とする量である。
【０１３７】
VI−２．毛髪サンプルの作製
長さ２０ｃｍ、重さ１０ｇの同一人物（日本人女性２５歳）の毛髪に上記で調製した実施例６２のワックス２ｇを塗布し、１分間放置後、４０℃の水で濡らし、ノンシリコンシャンプー（商品名：ヘアシーズンズ  シャンプースムース、日華化学（株）社製）１ｇにて揉み洗いし、４０℃の水で６０秒間すすぎ、ドライヤーにて乾燥させた。この一連の作業を３０回繰り返し、ワックス処理毛髪サンプルを作製した。
【０１３８】
VI−３．滑らかさ、しっとり感、シリコーン成分蓄積性の評価
得られたワックス処理毛髪サンプルの滑らかさ、しっとり感、シリコーン成分蓄積性（Ｓｉ量測定、パーマネントウェーブ施術試験）の評価を上述の方法で行った。その結果を下記表１４に示す。
【０１３９】
【表１４】
2015040250.tif 000035
【０１４０】
＜VII．２剤式染毛剤（クリームタイプ）の評価＞
VII−１．２剤式染毛剤の調製
表１５の組成で実施例６３の２剤式染毛剤を調製し、評価した。なお、残分とは全量を１００部とする量である。
【０１４１】
VII−２．毛髪サンプルの作製
長さ２０ｃｍ、重さ１０ｇの同一人物（日本人女性２５歳）の毛髪に、上記で調製した実施例６３の染毛剤１剤と２剤とを１：２の質量比で混ぜ合わせたもの２０ｇを塗布し、３３℃で３０分間放置後、４０℃の水で６０秒間すすぎ、ドライヤーにて乾燥させ、４０℃の水で濡らし、ノンシリコンシャンプー（商品名：ヘアシーズンズ  シャンプースムース、日華化学（株）社製）１ｇにて揉み洗いし、４０℃の水で６０秒間すすぎ、ドライヤーにて乾燥させた。この一連の作業を５回繰り返し、２剤式染毛剤処理毛髪サンプルを作製した。
【０１４２】
VII−３．滑らかさ、しっとり感、シリコーン成分吸着性の評価
得られた２剤式染毛剤処理毛髪サンプルの滑らかさ、しっとり感、シリコーン成分吸着性（Ｓｉ蓄積性試験、パーマネントウェーブ施術試験）の評価を上述の方法で行った。その結果を下記表１５に示す。
【０１４３】
【表１５】
2015040250.tif 000036
【０１４４】
＜VIII．染毛剤（ジェルタイプ）の評価＞
VIII−１．染毛剤の調製
表１６の組成で実施例６４の染毛剤を調製し、評価した。なお、残分とは全量を１００部とする量である。
【０１４５】
VIII−２．毛髪サンプルの作製
長さ２０ｃｍ、重さ１０ｇの同一人物（日本人女性２５歳）の毛髪に、上記で調製した実施例６４の染毛剤２０ｇを塗布し、３３℃で３０分間放置後、４０℃の水で６０秒間すすぎ、ドライヤーにて乾燥させ、４０℃の水で濡らし、ノンシリコンシャンプー（商品名：ヘアシーズンズ  シャンプースムース、日華化学（株）社製）１ｇにて揉み洗いし、４０℃の水で６０秒間すすぎ、ドライヤーにて乾燥させた。この一連の作業を５回繰り返し、染毛剤処理毛髪サンプルを作製した。
【０１４６】
VIII−３．滑らかさ、しっとり感、シリコーン成分蓄積性の評価
得られた染毛剤処理毛髪サンプルの滑らかさ、しっとり感、シリコーン成分蓄積性（Ｓｉ量測定、パーマネントウェーブ施術試験）の評価を上述の方法で行った。その結果を下記表１６に示す。
【０１４７】
【表１６】
2015040250.tif 000037
【０１４８】
＜IX．パーマネントウェーブ剤の評価＞
IX−１．パーマネントウェーブ剤の調製
表１７の組成で実施例６５のパーマネントウェーブ剤１剤及び２剤を調製し、評価した。なお、残分とは全量を１００部とする量である。
【０１４９】
IX−２．毛髪サンプルの作製
長さ２０ｃｍ、重さ１０ｇの同一人物（日本人女性２５歳）の毛髪を水で濡らし、上記で調製した実施例６５のパーマネントウェーブ剤１剤１０ｇを塗布し、１５分間放置後水洗し、上記で調製した実施例６５のパーマネントウェーブ剤２剤１０ｇを塗布し、１０分間放置後水洗し、タオルで拭き、自然乾燥にて毛髪を乾燥させた。この一連の作業を５回繰り返し、パーマネントウェーブ剤処理毛髪サンプルを作製した。
【０１５０】
IX−３．滑らかさ、しっとり感、シリコーン成分蓄積性の評価
得られたパーマネントウェーブ剤処理毛髪サンプルの滑らかさ、しっとり感、シリコーン成分蓄積性（Ｓｉ量測定、パーマネントウェーブ施術試験）の評価を上述の方法で行った。その結果を下記表１７に示す。
【０１５１】
【表１７】
2015040250.tif 000038
【０１５２】
以上の結果より、本発明のオルガノ変性シリコーンは、毛髪に優れた滑らかさとしっとり感の両方を高水準で付与でき、かつ繰り返し使用されてもヘアカラーやパーネントウェーブ施術の阻害の発生が十分に抑制される毛髪化粧料を提供できることが分かった。
【０１５３】
また、本発明の本発明のオルガノ変性シリコーンを含有する毛髪化粧料は、毛髪に優れた滑らかさとしっとり感の両方を高水準で付与でき、かつ繰り返し使用されてもヘアカラーやパーネントウェーブ施術の阻害が十分に抑制されることが分かった。
【産業上の利用可能性】
【０１５４】
以上説明したように、本発明によれば、毛髪化粧料に使用した際に、毛髪に滑らかさ及びしっとり感の両方を高水準で付与でき、かつ、繰り返し使用されてもヘアカラーやパーマネントウェーブ等の美容施術における阻害の発生が十分に抑制される毛髪化粧料を提供することが可能なオルガノ変性シリコーン、並びに、その製造方法を提供することが可能となる。
【０１５５】
そのため、前記本発明のオルガノ変性シリコーンを含有する本発明の毛髪化粧料によれば、毛髪に滑らかさとしっとり感の両方を高水準で付与することが可能となる。さらに、本発明の毛髪化粧料はシャンプー等で除去され易く、繰り返し使用しても毛髪に蓄積され難いため、本発明の毛髪化粧料によれば、ヘアカラーが均一に染まらない、パーマネントウェーブが一部かからないといった美容施術の問題の発生を十分に防ぐことが可能となる。